(57)【要約】 【課題】  従来の霊芝とは外観が全く異なる白色ないし黄色鹿角を呈する観賞用霊芝の菌床栽培方法の提供。【解決手段】ハウジング内で行う霊芝の菌床栽培において、菌床に霊芝の菌糸を接種して密生させた後、前記菌床をハウジング内へ収納・保持すると共に、前記ハウジング内を、下記の（Ａ）〜（Ｃ）の条件に保持して霊芝の子実体を生育させることを特徴とする観賞用白色ないし黄色鹿角霊芝の栽培方法。（Ａ）前記菌床をハウジング内へ収納後、霊芝が（Ganoderma lucidum）芽切り（発芽）を経て、幼霊芝が変色し始めるまでは、ハウジングの上部を半透光性の物体で覆い、透光率が６５〜８５％になるようにすること。（Ｂ）芽切り後、幼霊芝が茶褐色に変色する前に、ハウジングの上面を遮光性材質で密に覆い、気密性を高めると共に光を完全に遮断すること。（Ｃ）前記ハウジング内のスペースの温度を２５〜３５℃、かつ湿度を９０％以上に調節・保持すること。【選択図】  図９
2008228674.tif 000002
【特許請求の範囲】
【請求項１】
霊芝の（Ganoderma lucidum）菌床栽培において、菌床に霊芝（Ganodermalucidum）の菌糸を接種して密生（蔓延）させた後、前記菌床をハウジング内へ収納・保持すると共に、前記ハウジング内を、下記の（Ａ）〜（Ｃ）の条件に保持して霊芝の子実体を生育させることを特徴とする観賞用白色ないし黄色鹿角霊芝（Ganoderma
lucidum）の栽培方法。
（Ａ）前記菌床をハウジング内へ収納後、霊芝が（Ganoderma lucidum）芽切り（発芽）
を経て、幼霊芝が変色し始めるまでは、ハウジングの上部を半透光性の物体で覆い、透光
率が６５〜８５％になるようにすること。
（Ｂ）芽切り後、幼霊芝が茶褐色に変色する前に、ハウジングの上面を遮光性材質で密に覆い、気密性を高めると共に光を完全に遮断すること。
（Ｃ）前記ハウジング内のスペースの温度を２５〜３５℃、かつ湿度を９０％以上に調節・保持すること。
【請求項２】
菌床を耐熱性の容器内に形成する請求項１に記載する観賞用白色ないし黄色鹿角霊芝（Ganoderma lucidum）の栽培方法。
【請求項３】
耐熱性の容器として、底面積が８０〜２００ｃｍ2、高さが１０〜１５ｃｍの耐熱性容器を使用する請求項１、又は請求項２に記載する観賞用白色ないし黄色鹿角霊芝（Ganoderma lucidum）の栽培方法。
【請求項４】
菌床（培地）の主成分として、広葉樹のオガクズ（又は及びチップ）、及び米ヌカ（又は及びフスマ）を使用する請求項１〜請求項３に記載する観賞用白色ないし黄色鹿角霊芝（Ganoderma lucidum）の栽培方法。
【請求項５】
ハウジング内へ菌床を収納したとき、菌床の上部に２０〜５５ｃｍ、より好ましくは２５〜４０ｃｍのスペースを確保する請求項１〜請求項４に記載する観賞用白色ないし黄色鹿角霊芝（Ganoderma lucidum）の栽培方法。
【請求項６】
ハウジング内へ収納して並べる菌床の数を、ハウジング内の底面積に対し、収納する菌床の底面積の総和が２０〜３０％を占めるように制限すると共に、適宜間隔をあけて菌床を配置する請求項１〜請求項５に記載する観賞用白色ないし黄色鹿角霊芝（Ganoderma lucidum）の栽培方法。
【請求項７】
ハウジングを、周囲を囲む遮光性側板と開閉自在の遮光性天蓋（置き蓋）で形成した請求項１〜請求項６に記載する観賞用白色ないし黄色鹿角霊芝（Ganoderma lucidum）の栽培方法。
【請求項８】
ハウジングの側板と天蓋に断熱材を使用する請求項１〜請求項７に記載する観賞用白色ないし黄色鹿角霊芝（Ganoderma lucidum）の栽培方法。
【請求項９】
断熱材として、ベニヤ板に発泡スチロール又は押出し法ポリスチレンフォームを貼着したものを使用する請求項１〜請求項８に記載する観賞用白色ないし黄色鹿角霊芝（Ganoderma lucidum）の栽培方法。
【請求項１０】
スペースの温度調節・保持を天蓋の厚さを変えることにより行う請求項１〜請求項９に記載する観賞用白色ないし黄色鹿角霊芝（Ganoderma lucidum）の栽培方法。
【請求項１１】
ハウジング内の生育期間が５０日以上、より好ましくは７０日以上である請求項１〜請求項１０に記載する観賞用白色ないし黄色鹿角霊芝（Ganoderma lucidum）の栽培方法。
【請求項１２】
ハウジング内へ収納・保持する時期が、５月中旬で収穫時期が７月中旬ないし８月中旬である請求項１〜請求項１１に記載する観賞用白色ないし黄色鹿角霊芝（Ganoderma lucidum）の栽培方法。
【請求項１３】
ハウジングを屋内に形成し、ハウジング内の温度と湿度の管理を、屋内の温度と湿度を管理することにより行う請求項１〜請求項１２に記載する観賞用白色ないし黄色鹿角霊芝（Ganoderma lucidum）の栽培方法。
【請求項１４】
ハウジング内の温度を、一日複数回２５〜３０℃の範囲で上下させる請求項１３に記載する観賞用白色ないし黄色鹿角霊芝（Ganoderma lucidum）の栽培方法。
【発明の詳細な説明】
【技術分野】
【０００１】
この発明は、菌床栽培（鋸屑やチップ、バガスなどに米糠やふすまなどの栄養剤を加えた培地から発生させる方法）により、従来の霊芝、又は鹿角霊芝とは外観が異なる観賞用白色ないし黄色鹿角霊芝の栽培方法に関するものである。
【背景技術】
【０００２】
従来、図１に示す形状の鹿角霊芝１が知られている。この鹿角霊芝は傘が存在せず（開いていず）、白い頂部２を有しているが、菌柄３は褐色（以下褐色鹿角霊芝という）を呈している。
そして、褐色鹿角霊芝は、広葉樹の切断原木に霊芝（Ganoderma  lucidum）の菌糸を接種して密生（蔓延）させた後、前記切断原木を、１〜２ｍの高さを有するハウジング内に、その切断面（木口）が見える程度に埋め（伏せ）込むと共に、前記ハウジング内を、下記の（Ａ）及び（Ｂ）の条件に保持することによって、その子実体を生育させることができる。
（Ａ）埋め（伏せ）込みから芽切り（発芽）後、幼霊芝が３ｃｍほど成長し、その下部（菌柄）が茶褐色に変色し始めたら、ハウジングの上部を遮光すること。
（Ｂ）前記ハウジング内のスペースの温度を２５〜３０℃、かつ湿度を８０〜９０％程度に調節・保持すること。
【０００３】
なお、薬用又は観賞用の霊芝及び鹿角霊芝の栽培方法に関しては、例えば、次の特許文献が公知である。
【特許文献１】特公昭５７−３９６０５
【特許文献２】特開平１１−１４６７２８
【特許文献３】特開２００６−２５７６５
【特許文献４】特開２００６−２７１２９８
【発明の開示】
【発明が解決しようとする課題】
【０００４】
発明者等は、霊芝は栽培方法により形態及び色調が大幅に変化することから、種々の栽培方法(条件)について試験したところ、広葉樹の切断原木に霊芝（Ganoderma  lucidum）の菌糸を接種して密生（蔓延）させた後、前記切断原木を、数十ｃｍの高さを有するハウジング内に、その切断面（木口）が見える程度に埋め（伏せ）込むと共に、ハウジング内の遮光条件、温度、及び湿度を変えることにより、前記鹿角霊芝の菌柄を白色ないし黄色に変えることに成功し、一段と愛好家の鑑賞に耐え得る観賞用白色ないし黄色鹿角霊芝（Ganoderma  lucidum）を栽培することを可能にするに至り、すでに特許出願している（特願２００６−３４３６６４）。
その後、さらに試験・検討したところ、広葉樹の切断原木に代えて人工的に作製できる菌床（人工培地）を用いても、菌床と同様な白色ないし黄色鹿角霊芝を栽培することに成功した。
【課題を解決するための手段】
【０００５】
本願発明は、下記の請求項１〜請求項１４により構成されている。
＜請求項１＞  霊芝の（Ganoderma lucidum）菌床栽培において、菌床に霊芝（Ganodermalucidum）の菌糸を接種して密生（蔓延）させた後、前記菌床をハウジング内へ収納・保持すると共に、前記ハウジング内を、下記の（Ａ）〜（Ｃ）の条件に保持して霊芝の子実体を生育させることを特徴とする観賞用白色ないし黄色鹿角霊芝（Ganoderma
lucidum）の栽培方法。
（Ａ）前記菌床をハウジング内へ収納後、霊芝が（Ganoderma lucidum）芽切り（発芽）
を経て、幼霊芝が変色し始めるまでは、ハウジングの上部を半透光性の物体で覆い、透光
率が６５〜８５％になるようにすること。
（Ｂ）芽切り後、幼霊芝が茶褐色に変色する前に、ハウジングの上面を遮光性材質で密に覆い、気密性を高めると共に光を完全に遮断すること。
（Ｃ）前記ハウジング内のスペースの温度を２５〜３５℃、かつ湿度を９０％以上に調節・保持すること。
＜請求項２＞  菌床を耐熱性の容器内に形成する請求項１に記載する観賞用白色ないし黄色鹿角霊芝（Ganoderma lucidum）の栽培方法。
＜請求項３＞  耐熱性の容器として、底面積が８０〜２００ｃｍ2、高さが１０〜１５ｃｍの耐熱性容器を使用する請求項１、又は請求項２に記載する観賞用白色ないし黄色鹿角霊芝（Ganoderma lucidum）の栽培方法。
＜請求項４＞  菌床（培地）の主成分として、広葉樹のオガクズ（又は及びチップ）、及び米ヌカ（又は及びフスマ）を使用する請求項１〜請求項３に記載する観賞用白色ないし黄色鹿角霊芝（Ganoderma lucidum）の栽培方法。
＜請求項５＞  ハウジング内へ菌床を収納したとき、菌床の上部に２０〜５５ｃｍ、より好ましくは２５〜４０ｃｍのスペースを確保する請求項１〜請求項４に記載する観賞用白色ないし黄色鹿角霊芝（Ganoderma lucidum）の栽培方法。
＜請求項６＞  ハウジング内へ収納して並べる菌床の数を、ハウジング内の底面積に対し、収納する菌床の底面積の総和が２０〜３０％を占めるように制限すると共に、適宜間隔をあけて菌床を配置する請求項１〜請求項５に記載する観賞用白色ないし黄色鹿角霊芝（Ganoderma lucidum）の栽培方法。
＜請求項７＞  ハウジングを、周囲を囲む遮光性側板と開閉自在の遮光性天蓋（置き蓋）で形成した請求項１〜請求項６に記載する観賞用白色ないし黄色鹿角霊芝（Ganoderma lucidum）の栽培方法。
＜請求項８＞  ハウジングの側板と天蓋に断熱材を使用する請求項１〜請求項７に記載する観賞用白色ないし黄色鹿角霊芝（Ganoderma lucidum）の栽培方法。
＜請求項９＞  断熱材として、ベニヤ板に発泡スチロール又は押出し法ポリスチレンフォームを貼着したものを使用する請求項１〜請求項８に記載する観賞用白色ないし黄色鹿角霊芝（Ganoderma lucidum）の栽培方法。
＜請求項１０＞  スペースの温度調節・保持を天蓋の厚さを変えることにより行う請求項１〜請求項９に記載する観賞用白色ないし黄色鹿角霊芝（Ganoderma lucidum）の栽培方法。
＜請求項１１＞  ハウジング内の生育期間が５０日以上、より好ましくは７０日以上である請求項１〜請求項１０に記載する観賞用白色ないし黄色鹿角霊芝（Ganoderma lucidum）の栽培方法。
＜請求項１２＞  ハウジング内へ収納・保持する時期が、５月中旬で収穫時期が７月中旬ないし８月中旬である請求項１〜請求項１１に記載する観賞用白色ないし黄色鹿角霊芝（Ganoderma lucidum）の栽培方法。
＜請求項１３＞  ハウジングを屋内に形成し、ハウジング内の温度と湿度の管理を、屋内の温度と湿度を管理することにより行う請求項１〜請求項１２に記載する観賞用白色ないし黄色鹿角霊芝（Ganoderma lucidum）の栽培方法。
＜請求項１４＞  ハウジング内の温度を、一日複数回２５〜３０℃の範囲で上下させる請求項１３に記載する観賞用白色ないし黄色鹿角霊芝（Ganoderma lucidum）の栽培方法。
【発明の効果】
【０００６】
本願発明に係る霊芝の栽培方法によれば、原木によらず、人口の菌床を用いて下記の特徴を有する観賞用白色ないし黄色鹿角霊芝を安価に栽培することができるという効果を有する。
（ａ）全長（背丈）が２５〜４０ｃｍで、分岐せず。
（ｂ）先端部（菌傘に相当する部分）が白色
（ｃ）菌柄が白色ないし黄色
（ｄ）菌柄の直径がおよそ１０．０ｍｍ（上部）〜２０．０（下部）ｍｍ
【発明を実施するための最良の形態】
【０００７】
本願発明に用いる菌床（培地）は、広葉樹のオガクズ（又は及びチップ）、及び米ヌカ（又は及びフスマ）を主材料として作製する。広葉樹としては、クヌギ又はナラガシが優れているが、コナラ、ミズナラ、アベマキ、サクラ、ブナ、ニセアカシア等も十分使用可能である。
【０００８】
本願発明において、菌床に霊芝（Ganoderma lucidum）の菌糸を接種して密生（蔓延）させるには、既に公知の方法を使用することができるが、例えば特許第３５５３００５号、又は特開２００２−８４８８４（両者共、本願発明者の発明）記載の方法を用いて種菌を培養すれば、一層簡便・確実である。
菌床に霊芝（Ganoderma lucidum）の菌糸を接種して密生（蔓延）させるには、通常１２０日以上を必要とする。
【０００９】
菌床の作製に使用する容器は、上部に広い開口部を有し、又培地を内部に入れて殺菌する必要があるので、加熱殺菌に耐え得る耐熱性の容器が好ましい。例えば、ガラス製、プラスチック製の容器（ビン、袋等）が使用できる。
容器の大きさは、特に限定されないが、底面積が８０〜２００ｃｍ2（直径１０〜１６ｃｍ）、高さが１０〜１５ｃｍ程度のものが、作業上及び管理上好都合である。
【００１０】
霊芝（Ganoderma lucidum）の菌糸を密生（蔓延）させた菌床を、ハウジング内へ収納・保持する際の菌床の配置は、下記のように規制するのが好ましい。
（イ）ハウジング内へ収納して並べる菌床の数を、ハウジング内の底面積に対し、収納する菌床の底面積の総和が２０〜３０％を占めるように制限すると共に、適宜間隔をあけて菌床を配置する。
（ロ）菌床の下部には、スペースをとらない。
（ハ）菌床をあまり密に収納・配置すると、霊芝（Ganoderma lucidum）の生育が悪くなり、あまり疎に収納・配置すると霊芝（Ganoderma lucidum）の菌柄が黄色を超えて着色（褐色化）が進行し、又は着色（褐色化）するものが増える傾向にある。
【００１１】
ハウジング内へ菌床を収納・配置したとき、菌床の上部に２０〜５５ｃｍ、より好ましくは２５〜４０ｃｍのスペースを確保することが好ましい。この範囲より低くすると、霊芝の成長が悪くなったり、霊芝が横に伸びて外観が悪くなる。
又この範囲を超えると、菌柄が黄色を超えて着色（褐色化）が進行し、又は着色（褐色化）するものが増える傾向にある。
菌床と菌床との間隔、及びハウジング内部の高さ（菌床の上部に確保するスペース）は、１個の菌床から発生する霊芝が生育するスペース（容積）を決定するものであり、このスペースの大きさは霊芝の着色に敏感に影響する。
すなわち、スペースが増すと（大きすぎれば）着色が増加する。
数本の菌床を使用して詳細に試験した結果では、ハウジング内の二酸化炭素濃度を０．１％、（通常の空気の濃度：０．０３％）以上にすることにより菌柄の褐色化を防ぐことが可能となり、この二酸化炭素濃度のスペースを確保するためには、通気を制限し、前記（菌床の）間隔と（菌床上部の）高さ（スペース）が最適であることが判明した。
【００１２】
次に、ハウジングの構成例を示すと次のとおりである。
全体の構成を、周囲を箱状に囲む側板とその上部に被せる天蓋とし、その内部に高さ３５〜５０ｃｍのスペースを確保する。側板と天蓋には、断熱材を貼着したものを使用し、完全に遮光・密閉可能とする。
使用する断熱材としては、例えば下記のボードを使用する。
内側：断熱材（発泡スチロール又は押出し法ポリスチレンフォーム（商品名：スタイロフォーム）：９〜３０ｍｍ）
外側：ベニヤ板（必要に応じて外側を遮光フィルムで被覆したもの）：５〜１０ｍｍ
【００１３】
前記天蓋は、温度及び湿度の急激な変化を避け、かつ霊芝の生育により増加した二酸化炭素濃度を維持するために、通常３〜５日に１度散水（ハウジング内部の湿度を維持するため）するとき以外は開閉しない。
又、通常、散水は夜行い、日中の天蓋の開閉は、直射日光の差込を防ぐため行わない。
【００１４】
ハウジング内の温度を２５〜３５℃、湿度を９０％以上、より好ましくは９５％以上に保持することを要する。この条件は、例えば、天蓋の断熱材の厚さを変えること（温度が低く過ぎるときは薄くしてハウジング内へ太陽光の熱を取り込み、高過ぎるときは厚くして太陽光の熱を遮断する）及び散水の量と頻度を変えることにより満たすことができる。
以上のようなハウジングの構成により、１日の間に、ハウジング内の温度は、２５〜３５℃の範囲（温度差７〜９℃）を、ほぼ確実に上下することが測定された。
【００１５】
ハウジングを天蓋等で完全に遮光する時期は、幼霊芝が変色する寸前が好ましく、この時期は通常芽切り後５〜７日前後に訪れる。
【００１６】
請求項１の（Ａ）に使用する半透光性の物体（埋め込みから発芽を経て、幼霊芝が変色し始める期間、ハウジングの上部を覆うもの）とは、通常太陽光線を一部遮るシート状物体をいう。
又、本願発明の条件を達成するために使用される半透光性の物体としては、透光性のフィルム（シート）の上部に、その一部を覆う(例えば網状、簾状)シートを重ねても目的を達成することができる。
なお、天蓋で密閉する以前に、ハウジング内を、前記（Ａ）の条件下に維持しないと、霊芝の変色が早まったり、霊芝の伸び（生育）が悪くなる。
【００１７】
同一のスペース内で同時に大量（例えば１００株以上)に栽培する場合は、露地栽培（太陽光照射）を行う。
このためには、５月中旬に、霊芝（Ganoderma lucidum）の菌糸を密生（蔓延）させた菌床をハウジング内に配置し、７月中旬ないし８月初旬に収穫するのがよい。
この時期においては、前記スペース内は、散水を適宜行うこと、天蓋の断熱材の厚さを変えることにより、温度が２５〜３５℃、湿度が９０％以上に保持される。
【実施例】
【００１８】
長野県下伊那郡根羽村に、図２に示す霊芝栽培用のハウジング（１２）を地面（土、床、コンクリート？）(１３)に設置した。ハウジングの仕様は次のとおりである。
大きさ（内部）：７１０ｃｍ（縦）×１５０ｃｍ（横）×５０ｃｍ（高さ）
側板５：ベニヤ板６（外側，７ｍｍ）に発泡スチロール７（内側，１０ｍｍ）を貼着
天蓋９：ベニヤ板６（外側，７ｍｍ）に発泡スチロール７（内側，２０ｍｍ）を貼着
【００１９】
本願発明に係る観賞用白色ないし黄色鹿角霊芝（Ganoderma lucidum）の栽培方法は、概ね次の経過をたどる。
菌床準備→→種菌接種・培養→→ハウジング→→置蓋（天蓋で被覆）→→生育→→収穫
（イ）（広口ビン入り）菌床準備
（ａ）オガクズと米糠を３：１の割合で混合し、水を加えて水分を約６５重量％（乾燥法）に調整した培地材を作製した。この培地材を、直径１２ｃｍ、高さ１３ｃｍ（容積：約１１００ｍｌ）のガラス製の広口ビン(２０)の開口部（口元）まで一杯に充填した（約８００ｇ）。培地材（２３）を広口ビン(２０)へ詰める硬さは、ビンの底を床に軽く打ち付けて締まる程度であった。
（ｂ）広口ビン（２０）の開口部の汚れを拭き取り、通気性のある０．０２〜０．０３ポリエチレンフィルム（２４）で、紐又は輪ゴム（２８）を用いて密閉した。
なお、広口ビン（２０）の内部の培地材（２３）に霊芝（Ganoderma lucidum）の菌糸を良好に成育させるためには、酸素を必要とするので、その開口部を覆うポリエチレンフィルム（２４）は、通気性を有することが必要である。
（ｃ）前記密閉した広口ビン（２０）の開口部を覆うポリエチレンフィルム（２４）の中央部に、約１ｃｍ角のクッションテープ（又は布テープ）（２５）を貼着する。このテープ（２５）は、後述する種菌接種の際に、ポリエチレンフィルム（２４）を保護する役割を担う。
（ｄ）以上のようにして作製した培地材入り密閉広口ビンを、常圧殺菌釜にて約２時間半殺菌して、広口ビン入り殺菌菌床（２１）を得た。
（ロ）種菌接種・培養
（ａ）霊芝（Ganoderma  lucidum）の種菌は、概特許第３５５３００５号の方法により調整し、該方法により種菌の付着した串、又は楊枝（２７）を得た。
（ｂ）前記（イ）の（ａ）〜（ｄ）により作製した広口ビン入り殺菌菌床（２１）へ霊芝（Ganoderma  lucidum）の種菌を接種した。すなわち、前記（ａ）の種菌が付着している楊枝（２７）を、殺菌菌床（２１）の上面のクッションテープ（２５）を貼着した部分に刺しこんで、霊芝の菌糸を接種した広口ビン入り菌床（２２）をえた。
（ｃ）前記菌床（２２）は、楊枝（２７）を刺しこんだまま培養して霊芝の菌糸を蔓延させる。培養期間は１２０日〜１５０日を要した。すなわち、接種直後３０日は、温度２５℃〜２７℃、湿度４０〜６０％に設定した簡易培養室にて培養し、３０日を過ぎ十分に菌糸が蔓延した菌床から、自然環境（温度）にて管理した。
（ハ）ハウジング（内へ収納・保持）
十分に霊芝（Ganoderma  lucidum）の菌糸が蔓延した菌床から、その開口部を覆っているポリエチレンフィルム（２４）と楊枝(２７)を取り去った鹿角霊芝の菌糸が蔓延した広口ビン入り菌床（２６）を、前記ハウジング（１２）内の地面へ、１ｍ2当たり２５個（１列５個、菌床同士の間隔は約５ｃｍ）配置した（５月中旬）。
（ニ）次に、ハウジング（１２）の上部を透光性のシート（ポリエチレン）（１０）と遮光ネット（黒色、簾状）（１１）で覆い、透光率が６５〜８５％になるようにした。
（ホ）置蓋
霊芝は、ハウジング（１２）内へ配置後、１０日前後で発芽（芽切り）した。その後約１週間後にハウジング（１２）の上部を前記天蓋（９）で覆い、完全に遮光し、密閉した（なお、遮光と温度管理のため、天蓋（９）の上部を更に黒色のポリエチレンシート覆うこともある）。
天蓋（９）の開閉（散水）は、温度（３０℃）と湿度（９５％以上）を目安に、３〜５日に一度、夜間に行った。
（ヘ）生育
霊芝は順調に生育し、７月中旬には下記の特徴を有するものとなった。
（ａ）全長（背丈）が２５〜４０ｃｍで、分岐せず。
（ｂ）先端部（菌傘に相当する部分）が白色
（ｃ）菌柄が白色ないし黄色
（ｄ）菌柄の直径がおよそ１０．０ｍｍ（上部）〜２０．０（下部）ｍｍ
（ト）収穫
収穫は、８月上旬から中旬にかけておこなった。
【００２０】
本願発明の菌床栽培においては、原木のように、土に伏せこむ必要がないので、土壌を必要とせず、したがって、屋内での栽培が可能である。
屋内での栽培においては、通常ハウジングを屋内に形成し、ハウジング内の温度と湿度の管理を、屋内の温度と湿度を管理することにより行う。
屋内栽培においては、前記した屋外栽培のハウジングの条件をそのまま採用することができるが、この場合には、ハウジング内の温度が、一日複数回（２〜５回）２５〜３０℃の範囲（温度差7〜９℃）で上下するように、屋内の温度管理を行うことを必要とする。
【００２１】
本願の栽培方法により得られる菌柄が白色ないし黄色霊芝は、用途が観賞用に限るものではなく、切断菌床４から分離し、下記の形態で薬用及び健康サプリメント用として利用することができる。
（Ａ）収穫した霊芝本体を乾燥した後、微粉末として利用する。
（Ｂ）収穫した霊芝を微粉砕して液体に懸濁して飲用に供する。
（Ｃ）霊芝の成分を抽出して利用する。
【００２２】
又、本願の白色ないし黄色鹿角霊芝（Ganoderma lucidum）の栽培方法は、農薬を全く使用しないで実施可能である。
【図面の簡単な説明】
【００２３】
【図１】原木に生育した鹿角霊芝の斜視図である。
【図２】鹿角霊芝栽培用のハウジングを示す斜視図である。
【図３】ハウジングの側板の構造、透光性のシート（ポリエチレン）、及び遮光ネットを説明する部分図である。
【図４】ハウジングを天蓋で被覆する状態を示す部分斜視図である。
【図５】天蓋の構造を示す正面図である
【図６】殺菌前の菌床と、楊枝（又は串）示す図である。
【図７】殺菌後の菌床に菌糸を接種した状態を示す図である。
【図８】白色ないし黄色鹿角霊芝の生育状態を示す部分斜視図である。
【図９】菌床栽培した鹿角霊芝の斜視図である。
【符号の説明】
【００２４】
１    鹿角霊芝
２    頂部
３    菌柄
４    鹿角霊芝の菌糸が蔓延した広口ビン入り菌床の配置場所
５    側板
６    ベニヤ板
７    発泡スチロール
８    添木
９    天蓋
１０  透光性シート
１１  遮光ネット
１２  ハウジング
１３  地面（土、床、コンクリート）
１４  支柱
２０  広口ビン
２１  広口ビン入り殺菌菌床
２２  霊芝の菌糸を接種した広口ビン入り菌床
２３  培地材（ビンの中身）
２４  通気性ポリエチレンフィルム
２５  クッション（布）テープ
２６  鹿角霊芝の菌糸が蔓延した広口ビン入り菌床
２７  串、又は楊枝
２８  紐
【図１】
2008228674.tif 000003
【図２】
2008228674.tif 000004
【図３】
2008228674.tif 000005
【図４】
2008228674.tif 000006
【図５】
2008228674.tif 000007
【図６】
2008228674.tif 000008
【図７】
2008228674.tif 000009
【図８】
2008228674.tif 000010
【図９】
2008228674.tif 000011